(57)【特許請求の範囲】
【請求項１】
支持板が設けられたハウジングに設置される固定装置において、前記固定装置は、基柱及び固定部材を備え、前記固定部材は、ロック部と、該ロック部の一端から前記基柱に向かって延伸する接続部と、を備え、前記ロック部には、ロック孔が設けられ、該ロック孔は、前記ロック部の接続部と接触する面から離れた一端に位置し、前記固定部材は、ロック位置と避け位置との間で位置を切り替えることができ、前記固定部材がロック位置に位置する際、前記ロック部は前記基柱の頂部に位置し且つ前記支持板から離れ；前記固定部材が避け位置に位置する際、前記ロック部は前記基柱の一側に位置し且つ前記支持板に近づくことを特徴とする固定装置。
【請求項２】
前記固定部材がロック位置に位置する際、前記ロック部のロック孔が延伸する方向は、前記支持板にほぼ垂直であり；前記固定部材が避け位置に位置する際、前記ロック孔が延伸する方向は、前記支持板にほぼ平行することを特徴とする請求項１に記載の固定装置。
【請求項３】
前記基柱は円柱状であり、該基柱は軸方向に向かって第一収容溝が設けられ、前記固定部材が避け位置に位置する際、前記接続部は前記第一収容溝に収容されることを特徴とする請求項１または２に記載の固定装置。
【請求項４】
前記基柱の頂部には、弾性を持つ二つの第一突起が設けられ、前記固定部材がロック位置に位置する際、前記固定部材は、二つの前記第一突起の間に挟まれることを特徴とする請求項１〜３のいずれか一項に記載の固定装置。
【請求項５】
定位孔の位置が異なるメインボードが設置されるハウジングにおいて、前記ハウジングは、支持板及び該支持板に固定された複数の固定装置を備え、各々の前記固定装置は、基柱及び固定部材を備え、前記固定部材は、ロック部及び該ロック部の一端から前記基柱に向かって延伸する接続部を備え、前記ロック部にはロック孔が設けられ、前記ロック孔は、前記ロック部の接続部と接触する面から離れた一端に位置し、前記固定部材は、ロック位置と避け位置との間で位置を切り替えることができ、前記固定部材がロック位置に位置する際、前記ロック部は前記基柱の頂部に位置し且つ前記支持板から離れ；前記固定部材が避け位置に位置する際、前記ロック部は前記基柱の一側に位置し且つ前記支持板に近づくことを特徴とするハウジング。
【発明の詳細な説明】
【技術分野】
【０００１】
本発明は、固定装置及びそれを用いるハウジングに関するものである。
【背景技術】
【０００２】
サーバなどの電子装置は、通常ハウジング内のメインボードに設置される。該メインボードには複数の定位孔が設けられ、ハウジングには該定位孔と対応するネジ部を有する固定柱が設けられており、ネジをメインボードの定位孔に貫かせて固定柱に固定することで、メインボードをハウジングに固定する。しかし、寸法が異なるメインボードには、それぞれ異なる位置に定位孔が設けられ、しかもハウジングの固定柱の位置は固定されているので、一つのハウジングには、一つの寸法のメインボードしか設置することができず、使用に不便である。
【発明の概要】
【発明が解決しようとする課題】
【０００３】
以上の問題点に鑑みて、本発明は、定位孔の位置が異なるメインボードを設置することができる固定装置及びそれを用いるハウジングを提供することを目的とする。
【課題を解決するための手段】
【０００４】
支持板が設けられたハウジングに設置される固定装置において、基柱及び固定部材を備え、前記固定部材は、ロック部及び前記ロック部の一端から前記基柱に向かって延伸する接続部を備え、前記ロック部にはロック孔が設けられ、前記ロック孔は、前記ロック部の接続部と接触する面から離れた一端に位置し、前記固定部材は、ロック位置と避け位置との間で位置を切り替えることができ、前記固定部材がロック位置に位置する際、前記ロック部は、前記基柱の頂部に位置し且つ前記支持板から離れ；前記固定部材が避け位置に位置する際、前記ロック部は前記基柱の一側に位置し且つ前記支持板と近づく。
【０００５】
定位孔の位置が異なるメインボードが設置されるハウジングにおいて、前記ハウジングは、支持板及び前記支持板に固定された複数の固定装置を備え、各々の前記固定装置は、基柱及び固定部材を備え、前記固定部材は、ロック部及び前記ロック部の一端から前記基柱に向かって延伸する接続部を備え、前記ロック部にはロック孔が設けられ、前記ロック孔は、前記ロック部の接続部と接触する面から離れた一端に位置し、前記固定部材は、ロック位置と避け位置との間で位置を切り替えることができ、前記固定部材がロック位置に位置する際、前記ロック部は前記基柱の頂部に位置し且つ前記支持板と離れ；前記固定部材が避け位置に位置する際、前記ロック部は前記基柱の一側に位置し且つ前記支持板と近づく。
【発明の効果】
【０００６】
本発明の固定装置及びそれを用いるハウジングは、種類の異なるメインボードを設置する際、従来技術の定位孔をハウジングの固定柱に対して正確に対向させる必要はなく、メインボードの各定位孔に一つの固定装置を設置し、選択したメインボードの定位孔に基づいて固定装置の固定部材を動かして、固定部材をロック位置に位置させて、該選択したメインボードの定位孔と対向させれば良い。この際、他の固定部材は避け位置に移動させることにより、該選択したメインボードに対する干渉を防ぐことができる。以上により、定位孔の位置が異なるメインボードを設置することができ、使用に便利である。
【図面の簡単な説明】
【０００７】
【図１】本発明に係る固定装置の立体分解図である。
【図２】本発明に係る固定装置が設置されたハウジングの一部の分解図である。
【図３】図２に示したハウジングに第一メインボードを設置した際の使用状態を示す図である。
【図４】図２に示したハウジングに第二メインボードを設置した際の使用状態を示す図である。
【図５】図３に示したハウジングのＶ部分の拡大図である。
【発明を実施するための形態】
【０００８】
以下、図面に基づいて、本発明に係る固定装置及びそれを用いるハウジングについて詳細に説明する。
【０００９】
図１〜図４に示したように、本発明に係る固定装置１０は、異なる定位孔を持つ第一メインボード８０或いは第二メインボード９０を固定する。第一メインボード８０には複数の定位孔８１が設けられており、第二メインボード９０には複数の定位孔９１が設けられている。ハウジング２０は、支持板２２及び該支持板２２に設置される複数の固定装置１０を備える。また、支持板２２は、複数の第一固定孔２２１及び第一固定孔２２１の一側に対応して設置された複数の第二固定孔２２２を備える。
【００１０】
各々の固定装置１０は、基柱１１、固定部材１２、係止部材１３及び回転軸１４を備える。基柱１１は円柱状であり、その底面には基部１１１が形成される。また、基柱１１は、頂面の一部から一側に向かって欠け部１１０が形成され、もう一部には該欠け部１１０に対応する扇状の第二突起１１３が形成される。基部１１１は、軸方向に向かって、欠け部１１０と連通された第一収容溝１１４が設けられる。また、基部１１１には、更に第一収容溝１１４と垂直に且つ基部１１１の側壁を貫く回転孔１１６が設けられる。第二突起１１３の頂面には、円周方向に沿って且つ間隔をあけて二つの第一突起１１２が設けられている。該二つの第一突起１１２は円弧状である。第二突起１１３の中央部には、軸方向に向かって第一収容溝１１４と連通する第二収容溝１１５が設けられる。
【００１１】
固定部材１２は、円柱状のロック部１２１及び該ロック部１２１の一端から基柱１１に向かって延伸する接続部１２３を備える。ロック部１２１内には、その軸方向に向かってロック孔１２１１が設けられる。ロック孔１２１１はネジ孔であり且つロック部１２１の接続部１２３と接触する面と反対の面に位置する。接続部１２３は直方体であり、基柱１１の第一収容溝１１４に回転可能に収容される。また、接続部１２３には、ロック部１２１と接触する面の反対側の面に近い位置に回転孔１２３１が設けられる。
【００１２】
係止部材１３は、設置板１３１及び弾性を持つ係止部１３２を備える。設置板１３１は“Ｌ”形であり、第一設置部１３１１及び該第一設置部１３１１の一端から垂直に且つ上方に延伸して形成された第二設置部１３１２を備える。係止部１３２は、第二設置部１３１２の外側からやや下方へ傾斜して形成される。
【００１３】
本発明の固定装置１０を組み立てる際、先ず、固定装置１０の基柱１１及び係止部材１３を、それぞれ対応する第一固定孔２２１及び第二固定孔２２２の中に固定して、支持板２２と接続させる。この際、係止部材１３の係止部１３２は、基柱１１の第一収容溝１１４と対向する。次に、各々の固定部材１２の接続部１２３を、先ず対応する基柱１１の第二収容溝１１５に挿入した後、第一収容溝１１４に挿入させる。この際、接続部１２３の回転孔１２３１と基柱１１の回転孔１１６は対向し、回転軸１４によって該回転孔１１６及び１２３１を貫かせて固定部材１２を基柱１１に固定する。
【００１４】
図５に示したように、各々の固定装置１０の固定部材１２は、ロック位置１５と避け位置１７との間で位置を切り換えることができる。固定部材１２がロック位置１５に位置する際、固定部材１２の接続部１２３は基柱１１の第二収容溝１１５に収容され、この際、固定部材１２のロック部１２１は、基柱１１の第二突起１１３の頂部に位置するので、ロック部１２１のロック孔１２１１が延伸する方向は、支持板２２にほぼ垂直である。同時に、固定部材１２のロック部１２１は、基柱１１の二つの第一突起１１２間に位置し、該二つの第一突起１１２の弾性によってロック部１２１が挟まれて、固定部材１２はロック位置１５に固定される。
【００１５】
固定部材１２が避け位置１7に位置する際、固定部材１２の接続部１２３は、基柱１１の第一収容溝１１４に収容され、固定部材１２のロック部１２１は、基柱１１の一側に位置するので、ロック孔１２１１が延伸する方向は、支持板２２にほぼ平行となる。この際、固定装置１０の係止部材１３の係止部１３２は、固定部材１２のロック孔１２１１に入り込んで、固定部材１２を避け位置１７に固定する。
【００１６】
図３に示したように、第一メインボード８０を組み立てる際、第一メインボード８０に対応する固定装置１０の固定部材１２をロック位置１５に位置させる。この際、他の固定装置１０の固定部材１２は避け位置１７に位置させて、該他の固定装置１０の固定部材１２が第一メインボード８０に干渉するのを防ぐ。次に、第一メインボード８０の定位孔８１を固定装置１０のロック孔１２１１と対向させた後、複数のネジ（図示せず）によって第一メインボード８０の定位孔８１貫かせた後、対応する固定装置１０のロック孔１２１１に固定して、第一メインボード８０を支持板２２に固定する。
【００１７】
図４に示したように、第二メインボード９０を組み立てる際、第二メインボード９０に対応する固定装置１０の固定部材１２をロック位置１５に位置させる。この際、他の固定装置１０の固定部材１２は避け位置１７に位置させて、該他の固定装置１０の固定部材１２が第二メインボード９０に干渉するのを防ぐ。次に、第二メインボード９０の定位孔９１を固定装置１０のロック孔１２１１と対向させた後、複数のネジ（図示せず）によって第二メインボード９０の定位孔９１を貫かせた後、対応する固定装置１０のロック孔１２１１に固定して、第二メインボード９０を支持板２２に固定する。
【００１８】
また、他の実施形態として、ハウジング１００は、寸法が異なる二種類以上のメインボードを設置することができる。
【００１９】
本発明の固定装置１０及びそれを用いるハウジング２０は、種類の異なるメインボードを設置する際、従来技術の定位孔をハウジング２０の固定柱に対して正確に対向させる必要はなく、メインボードの各定位孔に一つの固定装置１０を設置し、選択したメインボードの定位孔に基づいて固定装置１０の固定部材１２を動かして、固定部材１２をロック位置１５に位置させて、該選択したメインボードの定位孔と対向させれば良い。この際、他の固定部材１２は避け位置１７に移動させることにより、該選択したメインボードに対する干渉を防ぐことができる。以上により、定位孔の位置が異なるメインボードを設置することができる。
【符号の説明】
【００２０】
１０  固定装置
１１  基柱
１１０  欠け部
１１１  基部
１１２  第一突起
１１３  第二突起
１１４  第一収容溝
１１５  第二収容溝
１１６、１２３１  回転孔
１２  固定部材
１２１  ロック部
１２１１  ロック孔
１２３  接続部
１３  係止部材
１３１  設置板
１３２  係止部
１３１１  第一設置部
１３１２  第二設置部
１４  回転軸
１５  ロック位置
１７  避け位置
２０  ハウジング
２２  支持板
２２１  第一固定孔
２２２  第二固定孔
８０  第一メインボード
８１、９１  定位孔
９０  第二メインボード
【図１】
0005438199.tif 000002
【図２】
0005438199.tif 000003
【図３】
0005438199.tif 000004
【図４】
0005438199.tif 000005
【図５】
0005438199.tif 000006